(57)【要約】      （修正有）【課題】目頭、目尻、下まつ毛など細部塗布に、またまつ毛に塗布された液のダマ束のほぐし、また塗布によるまつ毛数本の不揃いを整えることなどに使用可能である塗布ブラシを提供する。【解決手段】塗布ブラシは、植毛されたブラシ毛材４が芯材３を中心として放射状に延びる多量塗布ブラシ部５０と、多量塗布ブラシ部５０の先端側に植毛されたブラシ毛材４を芯材３に沿って先端方向に延びるように加工した少量塗布ブラシ部５１を有し、少量塗布ブラシ部５１は、芯材３の先端方向に延びるブラシ毛材４に囲まれた空洞Ｋを有する。【選択図】図１
2016154661.tif 000002
【特許請求の範囲】
【請求項１】
芯材に植毛されたブラシ毛材によって塗布対象毛に塗布液を塗布する塗布ブラシであり、
前記植毛されたブラシ毛材が前記芯材を中心として放射状に延びる多量塗布ブラシ部と、
前記多量塗布ブラシ部の先端側に前記植毛されたブラシ毛材を前記芯材に沿って先端方向に延びるように加工した少量塗布ブラシ部を有し、
前記少量塗布ブラシ部は、前記芯材の先端方向に延びるブラシ毛材に囲まれた空洞を有することを特徴とする塗布ブラシ。
【請求項２】
芯材に植毛されたブラシ毛材によって塗布対象毛に塗布液を塗布する塗布ブラシであり、
前記植毛されたブラシ毛材が前記芯材に沿って先端方向に延び、
前記芯材の先端方向に延びるブラシ毛材に囲まれた空間を有することを特徴とする塗布ブラシ。
【請求項３】
前記芯材の先端方向に延びるブラシ毛材の先端が、螺旋状に先細り、または整列されていることを特徴とする請求項１または請求項２に記載の塗布ブラシ。
【請求項４】
前記多量塗布ブラシ部のブラシ毛材により形成される外径より、前記少量塗布ブラシ部のブラシ毛材により形成される外径が、小径であることを特徴とする請求項１に記載の塗布ブラシ。
【発明の詳細な説明】
【技術分野】
【０００１】
この発明は塗布ブラシに関し、特にマスカラブラシや毛染め用ブラシのように塗布対象毛にマスカラや毛染め液などの塗布液を塗布する場合に適用して好適なものである。
【背景技術】
【０００２】
従来この種の塗布ブラシとして、例えばマスカラブラシがある。マスカラブラシは、特許文献１に開示されているように、ブラシに付着させたマスカラを、まつ毛に塗布するものが用いられている。
【０００３】
このマスカラブラシＲ１は、図１５に示すように、塗布液容器Ｒ２の取出口Ｒ３から、キャップＲ４に固着されたシャフトＲ５の先端に設けられたブラシ本体Ｒ６を出し入れすることにより、ブラシ本体Ｒ６を塗布液としてのマスカラに浸して外部に取り出すようになされている。
【０００４】
この取出口Ｒ３の内側には、柔軟性をもったゴム材でなる円筒状のしごき部材Ｒ７が設けられ、ブラシ本体Ｒ６を取出口Ｒ３から引き抜くときに、ブラシ本体Ｒ６のブラシ毛材Ｒ６Ａの周囲に付着している余分な塗布液を、小さい内径を有するしごき部材Ｒ７によってしごき落とすことにより、外部に取り出したブラシ本体６やシャフトＲ５から塗布液をぼた落ちさせないように構成されている。
【先行技術文献】
【特許文献】
【０００５】
【特許文献１】特開平５−２２８０１８号公報
【発明の概要】
【発明が解決しようとする課題】
【０００６】
このように、ブラシ毛材Ｒ６Ａは、しごき部材Ｒ７を通るとき一旦一斉に倒れるが、しごき部材Ｒ７を通過した後は、その復元力によって起立するので、塗布液は起立したブラシ毛材Ｒ６Ａの周囲に塗布液が付着したまま残り、直接にまつ毛に接触することによりまつ毛にもったりと付着するような濃い塗布状態で塗布できるが、まつ毛の生え際や、下まつ毛に対する塗布など細部について塗布液を塗布することが困難であった。
【０００７】
この発明は、かかる点に鑑みてなされたもので、目頭、目尻、下まつ毛など細部塗布に、またまつ毛に塗布された液のダマ束のほぐし、また塗布によるまつ毛数本の不揃いを整えることなどに使用可能な塗布ブラシを提供するものである。
【課題を解決するための手段】
【０００８】
前記課題を解決し、かつ目的を達成するために、この発明は、以下のように構成した。
【０００９】
請求項１に記載の発明は、芯材に植毛されたブラシ毛材によって塗布対象毛に塗布液を塗布する塗布ブラシであり、
前記植毛されたブラシ毛材が前記芯材を中心として放射状に延びる多量塗布ブラシ部と、
前記多量塗布ブラシ部の先端側に前記植毛されたブラシ毛材を前記芯材に沿って先端方向に延びるように加工した少量塗布ブラシ部を有し、
前記少量塗布ブラシ部は、前記芯材の先端方向に延びるブラシ毛材に囲まれた空洞を有することを特徴とする塗布ブラシである。
【００１０】
請求項２に記載の発明は、芯材に植毛されたブラシ毛材によって塗布対象毛に塗布液を塗布する塗布ブラシであり、
前記植毛されたブラシ毛材が前記芯材に沿って先端方向に延び、
前記芯材の先端方向に延びるブラシ毛材に囲まれた空間を有することを特徴とする塗布ブラシである。
【００１１】
請求項３に記載の発明は、前記芯材の先端方向に延びるブラシ毛材の先端が、螺旋状に先細り、または整列されていることを特徴とする請求項１または請求項２に記載の塗布ブラシである。
【００１２】
請求項４に記載の発明は、前記多量塗布ブラシ部のブラシ毛材により形成される外径より、前記少量塗布ブラシ部のブラシ毛材により形成される外径が、小径であることを特徴とする請求項１に記載の塗布ブラシである。
【発明の効果】
【００１３】
前記構成により、この発明は、以下のような効果を有する。
【００１４】
請求項１乃至請求項４に記載の発明では、芯材の先端方向に延びるブラシ毛材に囲まれた空洞を有し、この空洞に塗布液を溜めて塗布することで、目頭、目尻、下まつ毛など細部塗布に、またまつ毛に塗布された液のダマ束のほぐし、また塗布によるまつ毛数本の不揃いを整えることなどに使用することができる。
【図面の簡単な説明】
【００１５】
【図１】第１の実施の形態の化粧用ブラシの斜視図である。
【図２】化粧用ブラシの側面図である。
【図３】化粧用ブラシを先端側から見た図である。
【図４】化粧用ブラシの製造を説明する図である。
【図５】化粧用ブラシの使用を説明する図である。
【図６】少量塗布ブラシ部の構成を説明する図である。
【図７】少量塗布ブラシ部の他の構成を説明する図である。
【図８】少量塗布ブラシ部の他の構成を説明する図である。
【図９】少量塗布ブラシ部の他の構成を説明する図である。
【図１０】少量塗布ブラシ部の他の構成を説明する図である。
【図１１】第２の実施の形態の化粧用ブラシを説明する図である。
【図１２】第３の実施の形態の化粧用ブラシを示す図である。
【図１３】化粧用ブラシのブラシ毛材を示す図である。
【図１４】化粧用ブラシの他のブラシ毛材を示す図である。
【図１５】従来のマスカラブラシの使用を示す図である。
【発明を実施するための形態】
【００１６】
以下、この発明の塗布ブラシの実施の形態について説明する。この発明の実施の形態は、発明の最も好ましい形態を示すものであり、この発明はこれに限定されない。塗布ブラシは、芯材に植毛されたブラシ毛材によって塗布対象毛に塗布液を塗布するものであり、用途によってマスカラブラシ、リップブラシ、アイライナーブラシ、アイブローブラシ、アイシャドウブラシ、ファンデーションブラシ、マニキュアブラシなどの化粧用ブラシ、材質によって多孔質ブラシ、スポンジブラシ、焼結ブラシ、毛質ブラシ、繊維ブラシ、筆ペンブラシなどに用いることができる。
【００１７】
［第１の実施の形態］
（化粧用ブラシの構成）
この実施の形態の化粧用ブラシを、図１乃至図５に基づいて説明する。図１は化粧用ブラシの斜視図、図２は化粧用ブラシの側面図、図３は化粧用ブラシを先端側から見た図、図４は化粧用ブラシの製造を説明する図、図５は化粧用ブラシの使用を説明する図である。
【００１８】
化粧用ブラシ１は、マスカラブラシであり、キャップに差し込み保持される円筒状の支持部２に芯材３が突出保持されている。芯材３には、多数のブラシ毛材４が放射方向に外方に延長するように植毛され、これによりブラシ本体５が構成されている。
【００１９】
芯材３は、１本の線材を折り返してなり、この２本の線材３ａ及び３ｂ間に、矢印ａで示す長さ方向に、多数のブラシ毛材４を配列させた状態でより合わせることにより、線材３ａ及び３ｂの接触面でなる螺旋状保持面３ｃによってブラシ毛材４を挟着保持することにより、芯材３から放射方向に外方にブラシ毛材４を延長させるような構成を形成している。
【００２０】
このようにして、ブラシ毛材４は、螺旋状保持面３ｃに沿う方向に整列させた構成を有し、ブラシ本体５は芯材３から外方にブラシ毛材４を突出させてなる。このブラシ毛材４は、ポリアミド、ポリアクリル、ポリエステルなどの樹脂繊維を用いている。
【００２１】
この化粧用ブラシ１は、植毛されたブラシ毛材４が芯材３を中心として放射状に延びる多量塗布ブラシ部５０と、多量塗布ブラシ部５０の先端側に植毛されたブラシ毛材４を芯材３に沿って先端方向に延びるように加工した少量塗布ブラシ部５１を有する。少量塗布ブラシ部５１は、芯材３を中心として放射状に延びる植毛されたブラシ毛材４に加熱した部材１００を押し当てることによって、芯材３を中心としたブラシ毛材４が加熱によって基部から曲がり芯材３に沿って先端方向に延びるような形状に形成される。
【００２２】
少量塗布ブラシ部５１は、芯材３の先端方向に延びるブラシ毛材４に囲まれた空洞Ｋを有し、この空洞Ｋは、ブラシ毛材４が加熱によって曲げて芯材３に沿って先端方向に延ばすことで芯材３の先端側の位置に形成される。少量塗布ブラシ部５１は、芯材３の先端方向に空洞Ｋを有するが、この空洞Ｋは最小でも芯材３の太さより大きいことが、空洞Ｋに十分に塗布液を溜めることができ好ましい。また、多量塗布ブラシ部５０のブラシ毛材により形成される外径Ｄ１より、少量塗布ブラシ部５１のブラシ毛材により形成される外径Ｄ２が、小径である。
【００２３】
（化粧用ブラシの使用）
この化粧用ブラシ１の使用は、図５（ａ）に示すように、塗布液容器２００の取出口２０１から、キャップ２０２に固着された芯材３に設けられたブラシ本体５を出し入れすることにより、ブラシ本体５を塗布液としてのマスカラに浸して外部に取り出す。
【００２４】
取出口２０１の内側には、柔軟性を持ったゴム材でなる円環状のしごき部材２１０が設けられ、ブラシ本体５を取出口２０１から引き抜くとき、ブラシ本体５のブラシ毛材４の周囲に付着している余分な塗布液を小さい内径を有するしごき部材２１０によってしごき落とす。
【００２５】
このように、ブラシ毛材４は、それ自体一定の剛性をもっているので、しごき部材２１０を通るとき一端一斉に倒れるが、しごき部材２１０を通過した後は、ブラシ基部の復元力によって起立するので、塗布液はこの起立したブラシ毛材４の表面に付着したまま残る。少量塗布ブラシ部５１では、塗布液はブラシ毛材４の表面に付着したまま残ると共に、芯材３の先端方向に延びるブラシ毛材４に囲まれた空洞Ｋに塗布液が溜まり、しごき部材２１０を通過したしごき後の残液がブラシ毛材４に囲まれた空洞Ｋに残る。
したがって、図５（ｂ）に示すように、多量塗布ブラシ部５０では、植毛されたブラシ毛材４が芯材３を中心として放射状に延びており、このブラシ毛材４に付着した塗布液を用いてまつ毛９０に塗布できる。
【００２６】
このまつ毛９０の根元に塗布液を塗布する際、また目頭、目尻、下まつ毛９１など細部塗布に、またまつ毛に塗布された液のダマ束のほぐし、また塗布によるまつ毛数本の不揃いを整える際には、図５（ｃ）に示すように、少量塗布ブラシ部５１では、ブラシ毛材４が加熱によって曲げて芯材３に沿って先端方向に延びるような形状に形成されており、ブラシ毛材４の先端で細部塗布ができる。また、目の周りの皮膚に触れたとしても、皮膚に対して柔らかく接触することができるので、たとえ何回も塗布操作をしたとしても、皮膚に対する負担を大きくしないようにできる。
【００２７】
しかも、少量塗布ブラシ部５１は、芯材３の先端方向に延びるブラシ毛材４に囲まれた空洞Ｋを有し、この空洞Ｋに塗布液が溜まることで、空洞Ｋに溜まる塗布液がブラシ毛材４の先端に供給され、空洞Ｋに溜まる塗布液をまつ毛に付着させ、かつブラシ毛材４でほぐし整えることを同時に行うことができる。このように、芯材３の先端方向に延びるブラシ毛材４に囲まれた空洞Ｋに塗布液が溜まり、塗布液が溜まる周囲には、ブラシ毛材４が先端方向に延びていることで、塗布時にまつ毛がブラシ毛材４の間を通って空洞Ｋに溜まる塗布液を着けて着いた塗布液の余分な量を引き抜き、ブラシ毛材４で修正される。また、少量塗布ブラシ部５１は、先端使用であり、目頭、目尻、下まつ毛など細部塗布が容易で、まつ毛へ矯正や修正にも適し細部に対しても塗布のボリューム感を維持することができる。
【００２８】
また、多量塗布ブラシ部５０のブラシ毛材４により形成される外径Ｄ１より、少量塗布ブラシ部５１のブラシ毛材４により形成される外径Ｄ２が、小径であることで、少量塗布ブラシ部５１を用いた細部塗布が容易である。
【００２９】
（少量塗布ブラシ部の構成）
少量塗布ブラシ部５１の構成を、図６乃至図１０に基づいて説明する。図６の実施の形態は、図６（ａ）が少量塗布ブラシ部の斜視図、図６（ｂ）が少量塗布ブラシ部の先端部の展開図を示す。この実施の形態では、ブラシ毛材４を２本の線材間に２本の線材を中心に左右２列に配置し、このブラシ毛材４を配列させた状態でより合わせることにより芯材３を中心として放射状に延びる植毛される。このブラシ毛材４が加熱によって曲げて芯材３に沿って先端方向に延びるような形状に形成され、左右２列に配置したブラシ毛材４の先端が斜めに並び、芯材３の先端方向に延びるブラシ毛材４に囲まれた空洞Ｋが形成される。少量塗布ブラシ部５１は、芯材３の先端方向に延びるブラシ毛材４の先端が、螺旋状に先細り、この螺旋状の先細りで細部塗布が容易である。
【００３０】
図７の実施の形態は、図７（ａ）が少量塗布ブラシ部の斜視図、図７（ｂ）が少量塗布ブラシ部の先端部の展開図を示す。この実施の形態では、図６と同様に左右２列に配置したブラシ毛材４が斜めに並び、芯材３の先端方向に延びるブラシ毛材４に囲まれた空洞Ｋを有するが、芯材３の先端方向に延びるブラシ毛材４の先端が芯材３の軸心方向と直交するように整列され、この整列された部分で細部塗布が容易である。
【００３１】
図８の実施の形態は、図８（ａ）が少量塗布ブラシ部の斜視図、図８（ｂ）が少量塗布ブラシ部の先端部の展開図を示す。この実施の形態では、図７の実施の形態と同様に構成されるが、ブラシ毛材４の先端は、斜めになるように整列している。
【００３２】
図９の実施の形態では、同じ長さのブラシ毛材４を芯材３の２本の線材間に２本の線材を中心に左右２列に配置し、このブラシ毛材４を配列させた状態でより合わせることにより芯材３を中心として放射状に延びる植毛される。この同じ長さのブラシ毛材４が加熱によって曲げて芯材３に沿って先端方向に延びるような形状に形成され、左右２列に配置したブラシ毛材４が斜めに並び、芯材３の先端方向に延びるブラシ毛材４に囲まれた空洞Ｋを有する。
【００３３】
図１０の実施の形態では、少量塗布ブラシ部５１の部分では、順次長さが短くなるブラシ毛材４を芯材３の２本の線材間に２本の線材を中心に左右２列に配置し、このブラシ毛材４を配列させた状態でより合わせることにより芯材３を中心として放射状に延びる植毛される。この順次長さが短くなるブラシ毛材４が加熱によって曲げて芯材３に沿って先端方向に延びるような形状に形成され、芯材３の先端方向に延びるブラシ毛材４に囲まれた空洞Ｋを有するが、少量塗布ブラシ部５１の部分は先細りである。
【００３４】
［第２の実施の形態］
この実施の形態の化粧用ブラシを、図１１に基づいて説明する。図１１の実施の形態は、図１乃至図１０の実施の形態の多量塗布ブラシ部５０を設けないで、少量塗布ブラシ部５１と同様に構成される。すなわち、１本の線材を折り返してなる線材３ａ及び３ｂ間に、多数のブラシ毛材４を配列させた状態でより合わせ、芯材３から放射方向に外方にブラシ毛材４を延長させる。この芯材３を中心として放射状に延びる植毛されたブラシ毛材４に加熱した部材１００を押し当てることによって、芯材３を中心としたブラシ毛材４が加熱によって基部から曲がり芯材３に沿って先端方向に延びるような形状に形成される。この芯材３の先端方向に延びるブラシ毛材４に囲まれた空洞Ｋを有し、この空洞Ｋは、ブラシ毛材４が加熱によって曲げて芯材３に沿って先端方向に延ばすことで芯材３の先端側の位置に形成される。
【００３５】
［第２の実施の形態］
この実施の形態の化粧用ブラシを、図１２乃至図１４に基づいて説明する。図１２の実施の形態では、化粧用ブラシ１が筆ブラシであり、軸部２０に植毛されたブラシ毛材４が芯材２１に沿って先端方向に延び、芯材２１の先端方向に延びるブラシ毛材４に囲まれた空洞Ｋを有する。
【００３６】
軸部２０に植毛されたブラシ毛材４は、図１３に示すように、ブラシ毛材４の基部が糸巻き２２で連結され、芯材２１によって軸部２０に植毛される。また、軸部２０に植毛されたブラシ毛材４は、図１４に示すように、ブラシ毛材４の基部が熱加工２３で連結され、芯材２１によって軸部２０に植毛される。
このように、化粧用ブラシ１は、植毛されたブラシ毛材４が芯材２１に沿って先端方向に延び、芯材２１の先端方向に延びるブラシ毛材４に囲まれた空洞Ｋを有しており、塗布液はブラシ毛材４の表面に付着したまま残ると共に、芯材２１の先端方向に延びるブラシ毛材４に囲まれた空洞Ｋに塗布液が溜まる。
【００３７】
したがって、目頭、目尻、下まつ毛など細部塗布に、またまつ毛に塗布された液のダマ束のほぐし、また塗布によるまつ毛数本の不揃いを整える際には、ブラシ毛材４の先端が目の周りの皮膚に触れたとしても、皮膚に対して柔らかく接触することができるので、たとえ何回も塗布操作をしたとしても、皮膚に対する負担を大きくしないようにできる。
【００３８】
また、芯材２１の先端方向に延びるブラシ毛材４に囲まれた空洞Ｋを有し、この空洞Ｋに塗布液が溜まることで、空洞Ｋに溜まる塗布液がブラシ毛材４の先端に供給されて確実に、目頭、目尻、下まつ毛など細部塗布ができる。
【産業上の利用可能性】
【００３９】
この発明は、マスカラブラシや毛染め用ブラシのように塗布対象毛にマスカラや毛染め液などの塗布液を塗布する場合に適用して好適な塗布ブラシに適用可能であり、目頭、目尻、下まつ毛など細部塗布に、またまつ毛に塗布された液のダマ束のほぐし、また塗布によるまつ毛数本の不揃いを整えることなどに使用可能である。
【符号の説明】
【００４０】
１  化粧用ブラシ
２  支持部
３  芯材
４  ブラシ毛材
５  ブラシ本体
２０  軸部
２１  芯材
５０  多量塗布ブラシ部
５１  少量塗布ブラシ部
Ｋ  空洞
【図１】
2016154661.tif 000003
【図２】
2016154661.tif 000004
【図３】
2016154661.tif 000005
【図４】
2016154661.tif 000006
【図５】
2016154661.tif 000007
【図６】
2016154661.tif 000008
【図７】
2016154661.tif 000009
【図８】
2016154661.tif 000010
【図９】
2016154661.tif 000011
【図１０】
2016154661.tif 000012
【図１１】
2016154661.tif 000013
【図１２】
2016154661.tif 000014
【図１３】
2016154661.tif 000015
【図１４】
2016154661.tif 000016
【図１５】
2016154661.tif 000017